(57)【要約】      （修正有）【課題】  互いに室温の影響をうけずに複数の部屋を換気でき、換気用のファンの数量を減らしてコストダウンをはかると共に、給気用の空気流と排気用の空気流との間でヒートリークが生じないようにして熱交換効率が低下しないようにした空調装置を提供する。【解決手段】  全熱交換素子と、排気ファンと、室内空気を排出する排出路９と、給気ファン２と、外気を吸入する吸入路５とを備えた空調装置において、前記全熱交換素子と前記排気ファンとを備えた熱交換ユニット４が複数の部屋ＡおよびＢ毎に設けられると共に、前記吸入路５が、前記給気ファン２を備えて外気を吸入したのち、分岐部６を介して前記熱交換ユニット４に連なる吸入ダクト７からなり、前記排出路９が、前記熱交換ユニット４に連なり、合流部８を介して室内空気を排出する排出ダクト10からなる構成にした。【選択図】  図１
2006234281.tif 000002
【特許請求の範囲】
【請求項１】
全熱交換素子と、排気ファンと、室内空気を排出する排出路と、給気ファンと、外気を吸入する吸入路とを備えた空調装置において、
前記全熱交換素子と前記排気ファンとを備えた熱交換ユニットが複数の部屋毎に設けられると共に、前記吸入路が、前記給気ファンを備えて外気を吸入したのち、分岐部を介して前記熱交換ユニットに連なる吸入ダクトからなり、前記排出路が、前記熱交換ユニットに連なり、合流部を介して室内空気を排出する排出ダクトからなることを特徴とする空調装置。
【請求項２】
全熱交換素子と、排気ファンと、室内空気を排出する排出路と、給気ファンと、外気を吸入する吸入路とを備えた空調装置において、
前記全熱交換素子と前記給気ファンとを備えた熱交換ユニットが複数の部屋毎に設けられると共に、前記吸入路が、外気を吸入したのち分岐部を介して前記熱交換ユニットに連なる吸入ダクトからなり、前記排出路が、前記熱交換ユニットに連なり、合流部を介し前記排気ファンを備えて室内空気を排出する排出ダクトからなることを特徴とする空調装置。
【請求項３】
全熱交換素子と、排気ファンと、室内空気を排出する排出路と、給気ファンと、外気を吸入する吸入路とを備えた空調装置において、
前記全熱交換素子を備えた熱交換ユニットが複数の部屋毎に設けられると共に、前記吸入路が、前記給気ファンを備えて外気を吸入したのち、分岐部を介して前記熱交換ユニットに連なる吸入ダクトからなり、前記排出路が、前記熱交換ユニットに連なり、合流部を介し前記排気ファンを備えて室内空気を排出する排出ダクトからなることを特徴とする空調装置。
【発明の詳細な説明】
【技術分野】
【０００１】
本発明は、空調装置に係わり、より詳細には、複数の部屋毎に設けられた熱交換ユニットの給気口に吸入ダクトを、排気口に排出ダクトを夫々接続し、同吸入ダクトを分岐する以前および、または同排出ダクトを合流したのちに換気用のファンを設けるようにして、温度が異なる給気用の空気流と排気用の空気流との間でヒートリークが生じないようにした構造に関する。
【背景技術】
【０００２】
従来の換気・循環冷暖房装置からなる空調装置として、建物内に設置した上下方向の連通循環ダクトに冷暖房装置を配備した空気循環冷暖房設備と、屋内空気を排気し、熱交換により冷暖房装置に給気する熱交換換気設備とからなり、室内の空気循環を円滑に行なうことができ、建物内部の上下の温度差は容易に解消することができるようにし、また、空気の自然換気や、空気の循環を一方向または逆方向に随時切替えて行なえるので、室内の温度差の発生は抑制され、且つ充分な換気を得ることができるものが開示されていた（例えば、特許文献１参照。）。
【０００３】
しかしながら、室温が異なる複数の部屋を、互いに室温の影響をうけることなく換気することができないため、各部屋の空調負荷を最適に軽減できることにはならず、部屋によっては、時として不快な温度で給気をすることになってしまうという問題点を有していた。
【０００４】
また、一つの熱交換器に対応して、一つの給気ファンと一つの排気ファンとを夫々設けるようにした構成であって、複数の熱交換器に対応して一つの給気ファンを設けるようにしたり、複数の熱交換器に対応して一つの排気ファンを設けるようにした構成になっていないことから、また、ダクトの使用数（数量）を削減したり、建物の外壁貫通孔の施工性を向上させたりすることが困難になり、コスト的にも不利になってしまうという問題点を有していた。
【０００５】
または、従来の換気装置および熱交換器からなる空調装置は、換気装置に対し気密保持部材を用いることなく熱交換器部分の気密を保持するものとして、給排気管での熱交換を行なう着脱可能に組込まれた熱交換器を有し、その熱交換器は積層構造の六面体をなし、本体ケーシング内にその小口となる一端両側が本体ケーシング側の構造面に当接されて機能態におかれている換気装置に対し、その熱交換器の構造面に当接する端面側と、相手面となる構造面側との関係を凹凸の嵌め合いとし、その嵌め合いにより当接部における構造面と熱交換器の端面との気密を保持するようにしてなるものが開示されていた（例えば、特許文献２参照。）。
【０００６】
しかしながら、上記構成でなる換気装置および熱交換器は、本体ケーシング内に熱交換器と共に給気用送風機および排気用送風機が夫々設けられた構成になっているが、例えば、少なくとも排気用送風機および熱交換器を備えた本体ケーシングを複数の部屋に夫々設け、この本体ケーシングに給気用ダクトと排気用ダクトとを連通すると共に、給気用ダクトに複数の熱交換器用に共用される一つの給気用送風機を設けるようにすることによって、建物の外壁を貫通するダクト数を少なくして作業性を良好にしたり、送風機の数量を減らして本体ケーシングの小型軽量化およびコストダウンをはかれるようにするための構成は開示されていなかった。
【０００７】
また、本体ケーシング内に、熱交換器と共に給気用送風機および排気用送風機が夫々設けられた構成である場合、特許文献２に添付された図２および図３に示すように、本体ケーシングが大型化してしまうことで、その内部構造も複雑化して気密性が劣化したり、通風抵抗が増加してしまうようになったり、また、給気用送風機および排気用送風機のケーシングと、本体ケーシングに連通された給気用ダクトおよび排気用ダクトとの間でヒートリークが生じるようになっていた。
【０００８】
そのため、例えば給気用送風機や排気用送風機を本体ケーシングの外に出すことによって、本体ケーシングの小型化をはかったり、その内部構造を簡略化すると共に、ヒートリークが生じないようにして熱交換効率を低下させないようにすることが望まれていた。
【０００９】
【特許文献１】特開平１−３００１３５号公報（第１頁〜第５頁、第１図〜第４図）
【特許文献２】特開平９−１３３３８６号公報（第１頁〜第５頁、第１図〜第３図）
【発明の開示】
【発明が解決しようとする課題】
【００１０】
本発明は上記問題点に鑑み、室温が異なる複数の部屋を、互いに室温の影響をうけることなく換気できるようにすると共に、複数の部屋毎に設けられた熱交換ユニットの給気口に吸入ダクトを、排気口に排出ダクトを夫々接続し、同吸入ダクトを分岐する以前および、または同排出ダクトを合流したのちに換気用のファンを設けることにより、給気ファンおよび排気ファンからなる換気用のファンの数量を減らして小型軽量化とコストダウンをはかると共に、給気用の空気流と排気用の空気流との間でヒートリークが生じないようにして熱交換効率が低下しないようにした空調装置を提供することを目的とする。
【課題を解決するための手段】
【００１１】
本発明は上記課題を解決するため、全熱交換素子と、排気ファンと、室内空気を排出する排出路と、給気ファンと、外気を吸入する吸入路とを備えた空調装置において、
前記全熱交換素子と前記排気ファンとを備えた熱交換ユニットが複数の部屋毎に設けられると共に、前記吸入路が、前記給気ファンを備えて外気を吸入したのち、分岐部を介して前記熱交換ユニットに連なる吸入ダクトからなり、前記排出路が、前記熱交換ユニットに連なり、合流部を介して室内空気を排出する排出ダクトからなる構成となっている。
【００１２】
また、全熱交換素子と、排気ファンと、室内空気を排出する排出路と、給気ファンと、外気を吸入する吸入路とを備えた空調装置において、
前記全熱交換素子と前記給気ファンとを備えた熱交換ユニットが複数の部屋毎に設けられると共に、前記吸入路が、外気を吸入したのち分岐部を介して前記熱交換ユニットに連なる吸入ダクトからなり、前記排出路が、前記熱交換ユニットに連なり、合流部を介し前記排気ファンを備えて室内空気を排出する排出ダクトからなる構成となっている。
【００１３】
更に、全熱交換素子と、排気ファンと、室内空気を排出する排出路と、給気ファンと、外気を吸入する吸入路とを備えた空調装置において、
前記全熱交換素子を備えた熱交換ユニットが複数の部屋毎に設けられると共に、前記吸入路が、前記給気ファンを備えて外気を吸入したのち、分岐部を介して前記熱交換ユニットに連なる吸入ダクトからなり、前記排出路が、前記熱交換ユニットに連なり、合流部を介し前記排気ファンを備えて室内空気を排出する排出ダクトからなる構成となっている。
【発明の効果】
【００１４】
本発明によれば、室温が異なる複数の部屋を、互いに室温の影響をうけることなく換気できるようにした空調装置となる。
また、複数の部屋毎に設けられた熱交換ユニットの給気口に吸入ダクトを、排気口に排出ダクトを夫々接続し、同吸入ダクトを前記熱交換ユニットに向けて分岐する以前に給気ファンを設けたり、または、同熱交換ユニットに接続した排出ダクトを合流したのちに排気ファンを設けることにより、前記給気ファンおよび前記排気ファンを前記熱交換ユニット毎に設ける必要がなくなるので、換気用のファンの数量を減らしてコストダウンをはかれるようになり、熱交換ユニット内の気密性が良好になり、通風抵抗を低減できるようになると共に、給気用の空気流と排気用の空気流との間でヒートリークが生じないようにして熱交換効率を低下させないようにした空調装置を提供できる。
【発明を実施するための最良の形態】
【００１５】
以下、本発明の実施の形態を、添付図面に基づいた実施例として詳細に説明する。
図１は本発明による空調装置の第一の実施例を示す斜視図であり、図２は本発明による空調装置の第二の実施例を示す斜視図であり、図３は本発明による空調装置の要部説明図である。
【実施例１】
【００１６】
本発明による空調装置は、実施例１として図１および図３に示すように、全熱交換素子１と排気ファン３とを備え、給気口1aと排気口1bとを有して一室Ａおよび他室Ｂの部屋毎に設けられた熱交換ユニット４に、給気ファン２を備えて外気を吸入する吸入路５と、前記排気ファン３により室内空気を排出する排出路９とを接続してなる構成になっている。
【００１７】
前記吸入路５は、同吸入路５に設けられた前記給気ファン２によって外気を吸入したのち、分岐部６を介して前記一室Ａおよび前記他室Ｂの部屋毎に設けられた前記熱交換ユニット４に接続された吸入ダクト７からなる構成になっている。
【００１８】
前記排出路９は、前記一室Ａおよび前記他室Ｂの部屋毎に設けられ、前記排気ファン３を備えた前記熱交換ユニット４に接続され、合流部８を介して室内空気を排出する排出ダクト10からなる構成になっている。
【００１９】
これにより、例えば外気温が０℃であり、前記一室Ａの室温が２５℃であって前記他室Ｂの室温が５℃であるような場合、矢印ａで示すように、前記吸入路５から吸い込まれた０℃の外気と、矢印ｃで示すように、前記一室Ａに設けられた前記熱交換ユニット４の排気口1bから吸い込まれた２５℃の室内空気とが同熱交換ユニット４によって熱交換され、矢印ｂで示すように、約１７．５℃になった外気は同熱交換ユニット４の給気口1aから前記一室Ａに給気されるようになり、約７．５℃になった室内空気は同熱交換ユニット４の排気口1bから前記排出ダクト10に送出されるようになる。
【００２０】
また同様に、矢印ａで示すように、前記吸入路５から吸い込まれた０℃の外気と、矢印ｃで示すように、前記他室Ｂに設けられた前記熱交換ユニット４の排気口1bから吸い込まれた５℃の室内空気とが同熱交換ユニット４によって熱交換され、矢印ｂで示すように、約３．５℃になった外気は同熱交換ユニット４の給気口1aから前記他室Ｂに給気されるようになり、約１．５℃になった室内空気は同熱交換ユニット４の排気口1bから前記排出ダクト10に送出され、前記一室Ａに設けられた前記熱交換ユニット４の排気口1bから送出された約７．５℃の空気と混合して、約４．５℃の空気として前記排出路９から排出されるようになる。
【００２１】
その際、前記一室Ａおよび前記他室Ｂの部屋毎に夫々設けられた二つの前記熱交換ユニット４に対し、前記排気ファン３が夫々一つづつ設けられる一方、前記給気ファン２が前記吸入路５に一つ設けられた構成になっており、これによって、同給気ファン２を、前記一室Ａおよび前記他室Ｂに設けられた前記熱交換ユニット４に夫々一つづつ設ける必要がなくなるのでコスト的に有利になる。
【００２２】
これにより、上述した背景技術における問題点を解決できるようになって、前記熱交換ユニット４が大型化してしまうということがなくなり、また、その内部構造も複雑化してしまわないようになるため、前記熱交換ユニット４内の気密性が良好になり、通風抵抗を低減できるようになると共に、給気用送風機および排気用送風機のケーシングと、前記熱交換ユニット４に連通された給気用ダクトおよび排気用ダクトとの間でヒートリークが生じてしまうということがなくなる。
【実施例２】
【００２３】
また、請求項２に対応する実施例２として、図示はしないが、前記排気ファン３が、前記排出路９を合流させた前記合流部８の下流側に一つ設けられる一方、前記給気ファン２が、前記一室Ａおよび前記他室Ｂの部屋毎に夫々設けられた二つの前記熱交換ユニット４に夫々一つづつ設けられるように構成した場合においても、重複を避けるため詳細な説明は割愛するが、実施例１の場合と同様の作用効果が得られることになる。
【実施例３】
【００２４】
次に、実施例３について図２および図３に基づいて説明する。
全熱交換素子１を備え、給気口1aと排気口1bとを有して一室Ａおよび他室Ｂの部屋毎に設けられた熱交換ユニット４に、給気ファン２を備えて外気を吸入する吸入路５と、排気ファン３を備えて室内空気を排出する排出路９とを接続してなるように構成されている。
【００２５】
また、前記吸入路５は、同吸入路５に設けられた前記給気ファン２によって外気を吸入したのち、分岐部６を介して前記一室Ａおよび前記他室Ｂの部屋毎に設けられた前記熱交換ユニット４に接続された吸入ダクト７からなる構成になっている。
【００２６】
そして、前記排出路９は、前記一室Ａおよび前記他室Ｂの部屋毎に設けられた前記熱交換ユニット４に接続され、合流部８で合流させたのち、排気ファン３を備えて室内空気を排出する排出ダクト10からなる構成になっている。
【００２７】
これにより、例えば外気温が０℃であり、前記一室Ａの室温が２５℃であって前記他室Ｂの室温が５℃であるような場合、上記実施例１の場合と同様に、矢印ａで示すように、前記吸入路５から吸い込まれた０℃の外気と、矢印ｃで示すように、前記一室Ａに設けられた前記熱交換ユニット４の排気口1bから吸い込まれた２５℃の室内空気とが同熱交換ユニット４によって熱交換され、矢印ｂで示すように、約１７．５℃になった外気は同熱交換ユニット４の給気口1aから前記一室Ａに給気されるようになり、約７．５℃になった室内空気は同熱交換ユニット４の排気口1bから前記排出ダクト10に送出されるようになる。
【００２８】
また同様に、矢印ａで示すように、前記吸入路５から吸い込まれた０℃の外気と、矢印ｃで示すように、前記他室Ｂに設けられた前記熱交換ユニット４の排気口1bから吸い込まれた５℃の室内空気とが同熱交換ユニット４によって熱交換され、矢印ｂで示すように、約３．５℃になった外気は同熱交換ユニット４の給気口1aから前記他室Ｂに給気されるようになり、約１．５℃になった室内空気は同熱交換ユニット４の排気口1bから前記排出ダクト10に送出され、前記一室Ａに設けられた前記熱交換ユニット４の排気口1bから送出された約７．５℃の空気と混合して、約４．５℃の空気として前記排出路９から排出されるようになる。
【００２９】
その際、前記一室Ａおよび前記他室Ｂの部屋毎に夫々設けられた二つの前記熱交換ユニット４に対し、前記排気ファン３は、例えば上記実施例１の場合と異なり、前記熱交換ユニット４に夫々一つづつ設けられるのではなく、前記排出路９を合流させた前記合流部８の下流側に一つ設けられるだけでよく、前記給気ファン２は、前記吸入路５を分岐させた前記分岐部６の上流側に一つ設けられるだけでよい構成になっている。
【００３０】
これによって、前記一室Ａおよび前記他室Ｂの部屋毎に夫々設けられた二つの前記熱交換ユニット４に対し、例えば上記実施例１のように、前記排気ファン３が夫々一つづつ設けられる場合に比べて更にコスト的に有利になる。
【００３１】
また、上述した背景技術における問題点を解決できて、前記熱交換ユニット４が大型化してしまうということがなくなり、また、その内部構造も複雑化してしまわないようになるため、前記熱交換ユニット４内の気密性が良好になり、通風抵抗を低減できるようになると共に、給気用送風機および排気用送風機のケーシングと、前記熱交換ユニット４に連通された給気用ダクトおよび排気用ダクトとの間でヒートリークが生じてしまうという問題が生じない。
【図面の簡単な説明】
【００３２】
【図１】本発明による空調装置の第一の実施例を示す斜視図である。
【図２】本発明による空調装置の第二の実施例を示す斜視図である。
【図３】本発明による空調装置の要部説明図である。
【符号の説明】
【００３３】
Ａ  一室
Ｂ  他室
１  全熱交換素子
1a  給気口
1b  排気口
２  給気ファン
３  排気ファン
４  熱交換ユニット
５  吸入路
６  供給路
７  吸入ダクト
８  排出路
９  排気路
10  排気ダクト
【図１】
2006234281.tif 000003
【図２】
2006234281.tif 000004
【図３】
2006234281.tif 000005